(57)【特許請求の範囲】
【請求項１】
ステープルをシート束に向けて打ち出すドライバを有するドライバユニットと、そのシート束を貫通したステープルの脚部を回動することによりクリンチするクリンチャを有するクリンチャユニットとを備え、前記クリンチャユニットは、前記クリンチャを設けたクリンチャベースと、クリンチャを回動させるためのクリンチャカムとを有する電動ホッチキスであって、前記クリンチャベースを垂直方向に上下動させる上下リンク機構と、前記シート束の厚さに拘わりなく前記クリンチャの回動量を一定にするクリンチャリンク機構とを設けたことを特徴とする電動ホッチキス。
【請求項２】
前記クリンチャリンク機構は、一端が前記クリンチャカムの軸に枢着され、他端が前記クリンチャベースに係止されてこのクリンチャベースの上下動により前記軸回りに回動する第１クリンチャリンクと、この第１クリンチャリンクの中間位置に回動可能に枢支され、一端が前記クリンチャカムの周面に当接し、他端の上下動によって前記クリンチャを回動させる第２クリンチャリンクとを備え、前記クリンチャカムの回動によって第２クリンチャリンクを回動させて、第２クリンチャリンクの他端を上下動させることを特徴とする請求項１の電動ホッチキス。
【発明の詳細な説明】
【０００１】
【発明の属する技術分野】
この発明は、ステープルを打ち出すドライバを有するドライバユニットと、ステープルの脚部をクリンチするクリンチャを有するクリンチャユニットとを備え、ドライバユニットとクリンチャユニットとが上下に分離された電動ホッチキスに関する。
【０００２】
【従来の技術】
従来から、例えば複写機本体から排出されるシート束を綴じてその排出方向と同方向へ排出できるするようにした電動ホッチキスが知られている。
【０００３】
かかる電動ホチキスは、ステープルを打ち出すドライバ等とを有するドライバユニットと、ステープルの脚部をクリンチするクリンチャを有するクリンチャユニットとが分離されている。
【０００４】
クリンチャユニットは、クリンチャを有するクリンチャベースと、クリンチャを回動させてクリンチを行わせるクリンチャ機構とを有している。クリンチャベースはスイング式でクリンチャユニットのフレームに対して上下動するようになっている。つまり、一端が軸支され、この一端を中心にして回動することにより上下動するものである。
【０００５】
また、クリンチャ機構は、中間部がクリンチャユニットのフレームに軸支されたクリンチャ部材を有し、このクリンチャ部材の一端がクリンチャカムの周面に当接され、このクリンチャカムの回動によりクリンチャ部材を回動させ、この回動によりクリンチャ部材の他端を上下動させることによりクリンチャを回動させてクリンチを行わせるものである。
【０００６】
【発明が解決しようとする課題】
ところで、このような電動ホッチキスにあっては、シート束の厚さによってクリンチャベースの上昇位置が異なるが、クリンチャベースはスイング式で上下動するため、その上昇位置が異なることにより、ドライバユニットから打ち出されるステープルの打ち出し位置と、クリンチャベースのクリンチャとの位置がシート束の厚さによってずれていく、いわゆる芯ずれが発生するといいう問題があった。
【０００７】
また、シート束の厚さによってクリンチャベースの上昇位置が異なることにより、クリンチャとクリンチャリンクの他端との間の距離が変化することで、クリンチャリンクの回転によるクリンチャの上下動量が変化する。このため、シート束の厚さによってクリンチャの回動量が異なってしまうという問題があった。
【０００８】
この発明は、上記事情に鑑みてなされたもので、その目的は、芯ずれが生じてしまうことのない、しかも、シート束の厚さに拘わらずクリンチャの回動量を一定にすることのできる電動ホッチキスを提供することにある。
【０００９】
【課題を解決するための手段】
上記目的を達成するため、請求項１の発明は、ステープルをシート束に向けて打ち出すドライバを有するドライバユニットと、そのシート束を貫通したステープルの脚部を回動することによりクリンチするクリンチャを有するクリンチャユニットとを備え、前記クリンチャユニットは、前記クリンチャを設けたクリンチャベースを有する電動ホッチキスであって、前記クリンチャベースを垂直方向に上下動させる上下リンク機構と、前記シート束の厚さに拘わりなく前記クリンチャの回動量を一定にするクリンチャリンク機構とを設けたことを特徴とする。
【００１１】
請求項２の発明は、前記クリンチャリンク機構は、一端が前記クリンチャカムの軸に枢着され、他端が前記クリンチャベースに係止されてこのクリンチャベースの上下動により前記軸回りに回動する第１クリンチャリンクと、この第１クリンチャリンクの中間位置に回動可能に枢支され、一端が前記クリンチャカムの周面に当接し、他端の上下動によって前記クリンチャを回動させる第２クリンチャリンクとを備え、前記クリンチャカムの回動によって第２クリンチャリンクを回動させて、第２クリンチャリンクの他端を上下動させることを特徴とする。
【００１２】
【発明の実施の形態】
以下、この発明に係わる電動ホッチキスの実施の形態を図面に基づいて説明する。
【００１３】
図１において、１０は例えば複写機等に取り付けられる電動ホッチキスであり、この電動ホッチキス１０は、ドライバユニット１１とクリンチャユニット２０とを備えており、ドライバユニット１１とクリンチャユニット２０とが分離されている。なお、シート束は矢印方向へ排出され、ドライバユニット１１は実際にはクリンチャユニット２０に近接した位置にある。
【００１４】
ドライバユニット１１は、ステープルをコ字状に成形するフォーミングプレート(図示せず)やコ字状に成形されたステープルをシート束に向けて打ち出すドライバ(図示せず)などを備えており、従来と全く同じ構成となっているので、その説明は省略する。
【００１５】
［クリンチャユニット］
クリンチャユニット２０は、クリンチャ３４,３４′（図３参照）を備えたクリンチャベースユニット３０と、クリンチャベースユニット３０を上下動させる上下リンク機構５０と、クリンチャ３４,３４′を回動させるクリンチャリンク機構１００（図５参照）と、各機構５０,１００を駆動させる駆動機構(図示せず)とを備えている。
【００１６】
［クリンチャベースユニット］
クリンチャベースユニット３０は、図２に示すように、クリンチャベース３１と、このクリンチャベース３１の両側部にネジＮにより固定されたクリンチャベースガイド４０,４０とを備えている。
【００１７】
クリンチャベース３１は、開口３２を有するテーブル３３を有しており、このテーブル３３の下方に図３に示すように配設されたクリンチャ３４,３４を備えている。クリンチャ３４,３４′は、軸３５,３５′によって軸支されており、軸３５,３５′回りに矢印方向へ回動することにより、シート束を貫通してきたステープルの脚部をクリンチするものである。
【００１８】
クリンチャ３４,３４′は、ほぼコ字状に形成され、上部３４Ａ,３４Ａ′がステープルの脚部を折り曲げるクリンチ部となっており、下部３４Ｂ,３４Ｂ′が当接部となっている。
【００１９】
また、クリンチャベース３１にはベースシャフト３６が貫装されており、このベースシャフト３６の両端部３６Ａ,３６Ａがクリンチャベースガイド４０,４０を貫通して側方へ突出している。
【００２０】
各クリンチャベースガイド４０は、後方且つ斜め下方に向けて形成された突出部４０Ａが形成され、この突出部４０Ａには側方へ突出して軸４１が設けられている。
【００２１】
クリンチャベースユニット３０は、クリンチャユニット２０のフレーム側板２１,２１間に上下動自在に配設されており、各フレーム側板２１に上下方向に延びるガイド孔２２,２５（図１参照）が形成されている。各ガイド孔２２にはベースシャフト３６の両端部３６Ａがガイド孔２２に沿って上下動可能に挿入されている。また、ガイド孔２５には軸４１がガイド孔２５に沿って上下動可能に挿入されている。
【００２２】
クリンチャベースユニット３０は、ベースシャフト３６の両端部３６Ａがガイド孔２２に、軸４１がガイド孔２５にそれぞれ案内されることにより、垂直方向へ上下動するようになっている。
【００２３】
［上下リンク機構］
上下リンク機構５０は、図１および図４に示すように、図示しない駆動機構のモータ(図示せず)によって回動する駆動軸５１に装着されたリンクカム５２と、第１リンク部材５３と、第２リンク部材６０と、第３リンク部材７０とを備えている。この上下リンク機構５０はクリンチャユニット２０の両フレーム側板２１の外側にそれぞれ設けられている。
【００２４】
第１リンク部材５３は、上部がフレーム側板２１の軸５４回りに回動自在となっている。また、第１リンク部材５３の中間部にはローラ５５が回動自在に設けられており、このローラ５５がリンクカム５２の周面５２Ａに当接している。第１リンク部材５３の下部には軸５６が設けられており、この軸５６が第２リンク部材６０の長孔６１内に長孔６１に沿って移動可能に挿入されている。そして、軸５６には紙厚調整用のスプリング５７の一端が接続され、スプリング５７の他端はフレーム側板２１に固定されている。
【００２５】
このスプリング５７の付勢力により第１リンク部材５３は軸５４を中心にして反時計回りに付勢され、ローラ５５がリンクカム５２の周面に常時当接されている。
【００２６】
第２リンク部材６０の後部には紙厚調整用の長孔６１が形成され、前端部６０Ａが第３リンク部材７０の下部７０Ａに回動可能に枢着されている。
【００２７】
第３リンク部材７０は、ほぼ三角形状に形成され、上端部７０Ｂがフレーム側板２１に枢着されていて軸７１回りに回動可能となっている。また、第３リンク部材７０の前端部７０Ｃには斜め方向に延びた長孔７２が形成され、この長孔７２内にベースシャフト３６の端部３６Ａが長孔７２に沿って移動可能に挿入されている。
【００２８】
そして、図４に示す位置がリンクカム５２およびクリンチャベース３１の初期位置（ホームポジション）を示す。
【００２９】
［クリンチャリンク機構］
クリンチャリンク機構１００は、図２および図５に示すように、第１クリンチャリンク１０１と、第２クリンチャリンク１１０と、クリンチャカム１２０とを有している。このクリンチャリンク機構１００は、クリンチャユニット２０の両フレーム側板２１の内側にそれぞれ設けられている。
【００３０】
第１クリンチャリンク１０１は、ほぼヘ字状に成形されているとともに後端部１０１Ａが駆動軸５１に枢着され、駆動軸５１回りに回動自在となっている。また、先端部（他端）１０１Ｂには長孔１０２が設けられており、この長孔１０２内にはベースシャフト３６の端部３６Ａが長孔１０２に沿って移動可能に挿入されている。すなわち、先端部１０１Ｂはクリンチャベース３１に係止された状態になっている。
【００３１】
第２クリンチャリンク１１０は、ほぼヘ字状に成形されているとともに中間部が第１クリンチャリンク１０１の中間位置に軸１１１により取り付けられており、軸１１１回りに回動自在となっている。また、第２クリンチャリンク１１０の先端部１１０Ａはクリンチャベース３１内に進入している。この先端部１１０Ａは、図３に示すように、他方のクリンチャリンク機構１００の第２クリンチャリンク(図示せず)の先端部１１０Ａ′に連結部１１０Ｒによって連結され、この連結部１１０Ｒの中央部には上方に突出した突出部１１０Ｔが形成されている。この突出部１１０Ｔがクリンチャ３４,３４′の下部（当接部）３４Ｂ,３４Ｂ′に当接している。第２クリンチャリンク１１０の後端部１１０Ｂにはローラ１１２が回動自在に設けられている。
【００３２】
クリンチャカム１２０は、第１クリンチャリンク１０１と第２クリンチャリンク１１０との間に配置されるとともに駆動軸５１に固定されている。このクリンチャカム１２０は円形部１２１と突出部１２２とを有しており、図５に示す位置がクリンチャカム１２０およびクリンチャベース３１の初期位置（ホームポジション）を示す。
【００３３】
［動作］
次に、上記実施形態の電動ホッチキス１０の動作について説明する。
【００３４】
図示しないシート束が複写機(図示せず)から排出されて、複写機から綴り信号が出力されると、駆動機構のモータが駆動されて駆動軸５１が反時計回りに回転していく。駆動軸５１の回転とともにリンクカム５２も反時計回りに回転していく。このリンクカム５２の回転により、第１リンク部材５３が軸５４を中心に時計方向へ回動していく。
【００３５】
第１リンク部材５３の時計方向への回動により、第２リンク部材６０を介して第３リンク部材７０が軸７１を中心にして時計方向へ回動していく。この第３リンク部材７０の時計方向への回動により、図６に示すようにクリンチャベース３１が上昇していく。
【００３６】
さらに、リンクカム５２が回動していくと、図７に示すようにクリンチャベース３１は上死点に達してシート束Ｓをドライバユニット１１の打出部１１Ａとにより挟持する。
【００３７】
ところで、ベースシャフト３６の両端部３６Ａがガイド孔２２に、軸４１がガイド孔２５にそれぞれ案内されることにより、クリンチャベース３１は垂直方向へ上昇していくので、シート束Ｓの厚さによってクリンチャベース３１の上昇位置が異なっても、ドライバユニット１１の打出部１１Ａと、クリンチャベース３１のクリンチャ３４,３４′との垂直方向の位置関係がずれてしまうことがない。すなわち、芯ずれが生じないことになる。
【００３８】
そして、ドライバユニット１１の打出部１１Ａからステープルが打ち出される。打ち出されたステープルの脚部はシート束Ｓを貫通してクリンチャベース３１の開口３２内に進入していく。
【００３９】
他方、駆動軸５１の回転により、クリンチャカム１２０は図５に示す位置から図８に示す位置へ回動移動する。また、クリンチャベース３１の上昇とともに第１クリンチャリンク１０１は駆動軸５１を中心にして時計方向へ回動していく。第２クリンチャリンク１１０の突出部１１０Ｔは、第２クリンチャリンク１１０が軸１１１によって第１クリンチャリンク１０１に取り付けられていることにより、第１クリンチャリンク１０１の回動にともなって図８に示す位置まで上昇されていく。
【００４０】
そして、駆動軸５１がさらに回動していくと、クリンチャカム１２０は図８の破線で示す位置からさらに反時計回りに駆動軸５１とともに回動していく。このクリンチャカム１２０の回動により、図９に示すように、クリンチャカム１２０の突出部１２２が第２クリンチャリンク１１０のローラ１１２に当接していく。これにより、第２クリンチャリンク１１０が軸１１１を中心にして時計回りに回動していく。
【００４１】
この第２クリンチャリンク１１０の時計回りの回動により、第２クリンチャリンク１１０の突出部１１０Ｔが上昇してクリンチャ３４,３４の下部（当接部）３４Ｂ,３４Ｂ′を上方へ押し上げていく。この押し上げにより、クリンチャ３４,３４′は矢印方向へ回動していく。これらクリンチャ３４,３４′の回動により、クリンチャベース３１の開口３２内に進入したステープルの脚部がクリンチされていく。
【００４２】
ところで、シート束Ｓの厚さによってクリンチャベース３１の上昇位置は異なるが、第２クリンチャリンク１１０が第１クリンチャリンク１０１に取り付けられていることにより、第２クリンチャリンク１１０と第１クリンチャリンク１０１との相対位置は図５および図１０に示すようにクリンチャベース３１の上昇位置に拘わらず常に一定である。このため、クリンチャベース３１の上昇位置に拘わらず第２クリンチャリンク１１０の回動量は一定であり、その突出部１１０Ｔの上昇量は一定となる。この結果、クリンチャ３４,３４′の回動量はシート束Ｓの厚さに拘わらず常に一定となり、シート束Ｓを貫通したステープルの脚部をシート束Ｓの厚さに拘わりなく確実に所定量だけ折り曲げることができ、シート束Ｓの綴じ方がその厚さによって不十分になってしまうことを確実に防止することができる。
【００４３】
また、クリンチャベース３１がドライバユニット１１に対して垂直方向へ上下動することができるため、シート束Ｓを貫通したステープルの脚部はクリンチャベース３１の開口３２内へ確実に進入することとなり、クリンチャ３４,３４′によって脚部を確実に折り曲げることができる。すなわち、確実にクリンチすることができる。
【００４４】
シート束Ｓが厚い場合、例えば、図６に示す位置でクリンチャベース３１の上昇は停止してしまうが、第１リンク部材５３はスプリング５７の付勢力に抗して軸５４を中心にして時計回りに回動可能なので、第１リンク部材５３が図１１に示すように回動することにより、リンクカム５２はロックされずに駆動軸５１とともに回動していくことができ、シート束Ｓが厚い場合であっても確実にステープルをクリンチすることができることになる。
【００４５】
【発明の効果】
以上説明したように、この発明によれば、シート束の厚さによってクリンチャベースの上昇位置が異なっても、クリンチャベースとドライバユニットとの垂直位置合わせを確実に行うことができ、このため、シート束を貫通したステープルの脚部をクリンチャによって確実に折り曲げることができる。また、クリンチャの回動量はシート束の厚さに拘わらず常に一定となるので、シート束を貫通したステープルの脚部をシート束の厚さに拘わりなく確実に所定量だけ折り曲げることができ、シート束の綴じ方がその厚さによって不十分になってしまうことを確実に防止することができる。
【図面の簡単な説明】
【図１】  この発明に係わる電動ホッチキスのクリンチャユニットを示した斜視図である。
【図２】  クリンチャベースユニットとクリンチャ機構とを示した斜視図である。
【図３】  クリンチャを示した説明図である。
【図４】  リンク機構の構成を示した説明図である。
【図５】  クリンチャ機構の構成を示した説明図である。
【図６】  リンク機構によりクリンチャベースが上昇された状態を示した説明図である。
【図７】  リンク機構によりクリンチャベースが上死点まで上昇した状態を示した説明図である。
【図８】  クリンチャベースが上死点まで上昇した際の第１クリンチャリンクと第２クリンチャリンクとの相対位置関係を示した説明図である。
【図９】  クリンチが行われる際の第２クリンチャリンクの位置を示した説明図である。
【図１０】  クリンチャベースの上昇位置に拘わらず第１クリンチャリンクと第２クリンチャリンクとの相対位置関係が変わらないことを示すための説明図である。
【図１１】  紙厚調整が行われた状態を示した説明図である。
【符号の説明】
３１  クリンチャベース
１０１  第１リンク部材
１１０  第２リンク部材
１１０Ａ  先端部
１２０  クリンチャカム
１３８  クリンチ板（クリンチャ）
１５０  保持機構（保持手段）
【図１】
0004182619.tif 000002
【図２】
0004182619.tif 000003
【図３】
0004182619.tif 000004
【図４】
0004182619.tif 000005
【図５】
0004182619.tif 000006
【図６】
0004182619.tif 000007
【図７】
0004182619.tif 000008
【図８】
0004182619.tif 000009
【図９】
0004182619.tif 000010
【図１０】
0004182619.tif 000011
【図１１】
0004182619.tif 000012